(57)【要約】【課題】  ２次元コードにポイント情報を格納させることによって、商品購入者が多種多様なポイントサービスを管理及び利用することができるポイント管理システムの提供。【解決手段】  管理サーバは、携帯端末に対して、携帯端末から送信されるポイント情報を受信する２次元コード情報受信手段と、ポイント情報を所定の規則に従って処理を行うポイント処理手段と、ポイント情報を各項目毎に保存するポイント保存手段と、ポイント情報を送信した携帯端末へポイント情報を送信する保存ポイント送信手段と、商品やサービス等を表示する交換可能表示手段と、ポイントとの交換を指定する指定情報を受信する指定情報受信手段と、指定情報に従って前記ポイント情報保存手段に保存されるポイント情報を処理する指定処理手段を有することを特徴とする。【選択図】  図４
2005251003.tif 000002
【特許請求の範囲】
【請求項１】
商品やサービス等に付与されるポイント情報を管理するポイント管理システムであって、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記携帯端末と該管理サーバとを接続する通信ネットワークから構成され、
前記管理サーバは、
前記携帯端末に対して、
前記携帯端末から送信される２次元コードからデコードされたポイント情報を受信する２次元コード情報受信手段と、
前記２次元コード情報受信手段に於いて受信されたポイント情報を所定の規則に従って処理を行うポイント処理手段と、
前記ポイント処理手段に於いて処理されたポイント情報を各項目毎に保存するポイント保存手段と、
前記ポイント保存手段にポイントが保存された際に、ポイント情報を送信した前記携帯端末へ該ポイント保存手段に保存されるポイント情報を送信する保存ポイント送信手段と、
前記ポイント保存手段に保存されるポイント情報に従ってポイント交換を行うことが可能な商品やサービス等を表示する交換可能表示手段と、
前記携帯端末の使用者が該携帯端末から送信する前記交換可能表示手段に於ける商品やサービス等の中から所望する商品やサービスを選択しポイントとの交換を指定する指定情報を受信する指定情報受信手段と、
前記指定情報受信手段に於いて受信された指定情報に従って前記ポイント情報保存手段に保存されるポイント情報を処理する指定処理手段を有する一方で、
前記携帯端末は、
取り込んだ２次元コードをデコードし、ポイント情報を抽出するデコード手段と、
前記デコード手段によって、抽出されたポイント情報を前記管理サーバへ送信する携帯端末送信手段と、
前記保存ポイント送信手段から送信されるポイント情報を受信する携帯端末受信手段と、
前記携帯端末受信手段によって、受信したポイント情報を前記各項目毎に保存する携帯端末ポイント保存手段と、
前記携帯端末ポイント保存手段が保存するポイント情報を表示する第１携帯端末表示手段と、
前記交換可能表示手段で表示される商品やサービス等の中から所望する商品やサービスを選択しポイントとの交換を指定する指定情報を送信する指定情報送信手段と、
を具備することを特徴とする２次元コードを利用したポイント管理システム。
【請求項２】
前記通信ネットワークに、前記２次元コードを提供する提供者が有する提供者サーバが接続され、
前記管理サーバは、前記提供者サーバに対して、
前記提供者サーバからの要求を受信する提供者要求受信手段と、
前記提供者サーバからの要求に応じて前記ポイント情報保存手段に於いて保存される情報を処理する提供者要求処理手段と
を有することを特徴とする２次元コードを利用したポイント管理システム。
【請求項３】
前記携帯端末は、前記デコード手段が抽出するポイント情報に含まれるポイントを変更するポイント変更手段を有することを特徴とする請求項１記載の２次元コードを利用したポイント管理システム。
【請求項４】
前記ポイント変更手段が変更したポイントを表示する第２携帯端末表示手段を有していることを特徴とする請求項３記載の２次元コードを利用したポイント管理システム。
【請求項５】
前記管理サーバは、前記携帯端末が有する前記ポイント変更手段を起動又は停止させることのできる動作信号を送信する動作信号送信手段を有していることを特徴とする請求項３記載の２次元コードを利用したポイント管理システム。
【請求項６】
前記携帯端末ポイント保存手段は、前記ポイント保存手段に保存されるポイント情報の項目が２項目となる際に、前記管理サーバから送信されて該携帯端末で保存されることを特徴とする請求項１記載の２次元コードを利用したポイント管理システム。
【請求項７】
前記２次元コードが保存する情報は、該２次元コードを提供する提供者を識別することを可能にする識別番号と、該２次元コードが付与されている商品やサービスを識別する商品番号と、前記正誤判定手段に於いて使用される認証番号と、該商品やサービスに対するポイント情報を有することを特徴とする請求項１乃至６いずれかに記載の２次元コードを利用したポイント管理システム。
【請求項８】
前記携帯端末がカメラ付き携帯電話器であることを特徴とする請求項１乃至７いずれかに記載の２次元コードを利用したポイント管理システム。
【請求項９】
商品やサービスに対して付与されるポイント情報が格納されている２次元コードと、該２次元コードに格納されるポイント情報を送信する携帯端末と、該携帯端末から送信されるポイント情報を受信し管理する管理サーバと、前記２次元コードを提供する提供者が有する提供者サーバと、前記携帯端末と該管理サーバと該提供者サーバを接続する通信ネットワークから構成される商品やサービス等に付与されるポイント情報を管理するポイント管理システムにおける管理サーバであって、
前記管理サーバは、
前記携帯端末に対して、
前記携帯端末から送信される２次元コードからデコードされたポイント情報を受信する２次元コード情報受信手段と、
前記２次元コード情報受信手段に於いて受信されたポイント情報を所定の規則に従って処理を行うポイント処理手段と、
前記ポイント処理手段に於いて処理されたポイント情報を各項目毎に保存するポイント保存手段と、
前記ポイント保存手段にポイントが保存された際に、ポイント情報を送信した前記携帯端末へ該ポイント保存手段に保存されるポイント情報を送信する保存ポイント送信手段と、
前記ポイント保存手段に保存されるポイント情報に従ってポイント交換を行うことが可能な商品やサービス等を表示する交換可能表示手段と、
前記携帯端末の使用者が該携帯端末から送信する前記交換可能表示手段に於ける商品やサービス等の中から所望する商品やサービスを選択しポイントとの交換を指定する指定情報を受信する指定情報受信手段と、
前記指定情報受信手段に於いて受信された指定情報に従って前記ポイント情報保存手段に保存されるポイント情報を処理する指定処理手段を有する一方で、
前記提供者サーバに対して、
前記提供者サーバからの要求を受信する提供者要求受信手段と、
前記提供者サーバからの要求に応じて前記ポイント情報保存手段に於いて保存される情報を処理する提供者要求処理手段と、
を具備することを特徴とする２次元コードを利用したポイント管理システムの管理サーバ。
【請求項１０】
商品やサービスに対して付与されるポイント情報が格納されている２次元コードを利用するポイント管理システムで利用される携帯端末に具備されるプログラムであって、
取り込んだ２次元コードをデコードし、ポイント情報を抽出する手段と、
前記抽出されたポイント情報を、ポイント情報を管理する管理サーバへ送信する手段と、
前記管理サーバで管理されるとともに前記携帯端末へ送信されるポイント情報を受信する手段と、
前記受信したポイント情報を、前記携帯端末に設けられる記憶手段に、該ポイント情報が属する各項目毎にポイント情報を格納させる手段と、
前記格納されるポイント情報を表示する手段と、
前記管理サーバで表示される商品やサービス等の中から所望する商品やサービスを選択し、ポイントとの交換を指定する指定情報を前記管理サーバへ送信する手段、
として前記携帯端末を機能させるための２次元コードを利用したポイント管理システムの携帯端末に具備されるプログラム。
【発明の詳細な説明】
【技術分野】
【０００１】
本発明は、２次元コードを利用したポイント管理システム、このポイント管理システムのサーバ及びこのポイント管理システムの携帯端末に具備されるプログラムに関し、より詳しくは、２次元コードに商品やサービス等のポイント情報を格納させることによって、商品購入者が多種多様なポイントサービスを管理及び利用することができるとともに、２次元コード提供者は容易に２次元コードが付与された商品やサービス等の販売状況等の情報を容易に管理することができるポイント管理システム、このポイント管理システムで使用される管理サーバ及び２次元コードを利用したポイント管理システムで利用される携帯端末に具備されるプログラムに関する。
【背景技術】
【０００２】
従来、商品やサービス等に付与されるポイント等は、その商品やサービスが提供される小売販売店が独自に決めたポイント制度を基にして顧客にポイントが付与されてきた。
そのため、小売販売店はポイント制度を利用して顧客の情報を収集することができるが、製造業者は商品に関する顧客の情報（例えば、商品に対する顧客の購買層の情報や商品の売れ行きに関する情報等）を収集できないという問題点があった。
又、ポイントを収集する顧客は、小売販売店毎によってポイント制度が異なっているため、小売販売店毎のポイント制度を利用しようとしても、ポイントを貯めるために長い期間を必要としていたり、収集したポイントが不足してそのまま無効になったり、ポイントを収集しても使用する期間を過ぎていたりして十分ポイント制度を利用することができない問題点を有していた。
そのため、一社が提供するポイントサービスで入手したポイントを他社の提供するポイントサービスで利用する発明が創出されている（例えば、特許文献１参照。）。
しかしながら、上記した発明では、顧客がポイントを効率良く収集できても、製造業者が顧客の情報を収集することはできない問題点を有していた。
【０００３】
また、ポイントを収集する顧客は、ポイントを発行する製造業者や販売業者毎に設けられるポイントカード等の紙媒体やＩＤカードにポイントを保存しておくことが通常であった。このため、顧客は、製造業者や販売業者毎のポイントを収集したり、製造業者や販売業者毎のサービスを受けようとしたりすると、常時これらポイントカードを携帯しなければならず、携帯していない場合には、ポイントがもらえなかったり、サービスを受けられなかったりして、かえって煩わしさを有していた。
このため、上記問題点を解決するために、製造業者や販売業者毎のポイントを一元的に管理するとともに、携帯に便利なポイントカードの要望が極めて高まっている。
【０００４】
【特許文献１】特開２００３−１０９１１５号公報
【発明の開示】
【発明が解決しようとする課題】
【０００５】
本発明は、このような実情に鑑みてなされたもので、２次元コードに商品やサービス等のポイント情報を格納させることによって、商品購入者が多種多様なポイントサービスを管理及び利用することができるとともに、２次元コード提供者は容易に２次元コードが付与された商品やサービス等の販売状況等の情報を容易に管理することができるポイント管理システム、２次元コードを利用したポイント管理システムの管理サーバ及び２次元コードを利用したポイント管理システムの携帯端末に具備されるプログラムを提供する。
【課題を解決するための手段】
【０００６】
請求項１記載の発明は、商品やサービス等に付与されるポイント情報を管理するポイント管理システムであって、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記携帯端末と該管理サーバとを接続する通信ネットワークから構成され、前記管理サーバは、前記携帯端末に対して、前記携帯端末から送信される２次元コードからデコードされたポイント情報を受信する２次元コード情報受信手段と、前記２次元コード情報受信手段に於いて受信されたポイント情報を所定の規則に従って処理を行うポイント処理手段と、前記ポイント処理手段に於いて処理されたポイント情報を各項目毎に保存するポイント保存手段と、前記ポイント保存手段にポイントが保存された際に、ポイント情報を送信した前記携帯端末へ該ポイント保存手段に保存されるポイント情報を送信する保存ポイント送信手段と、前記ポイント保存手段に保存されるポイント情報に従ってポイント交換を行うことが可能な商品やサービス等を表示する交換可能表示手段と、前記携帯端末の使用者が該携帯端末から送信する前記交換可能表示手段に於ける商品やサービス等の中から所望する商品やサービスを選択しポイントとの交換を指定する指定情報を受信する指定情報受信手段と、前記指定情報受信手段に於いて受信された指定情報に従って前記ポイント情報保存手段に保存されるポイント情報を処理する指定処理手段を有する一方で、前記携帯端末は、取り込んだ２次元コードをデコードし、ポイント情報を抽出するデコード手段と、前記デコード手段によって、抽出されたポイント情報を前記管理サーバへ送信する携帯端末送信手段と、前記保存ポイント送信手段から送信されるポイント情報を受信する携帯端末受信手段と、前記携帯端末受信手段によって、受信したポイント情報を前記各項目毎に保存する携帯端末ポイント保存手段と、前記携帯端末ポイント保存手段が保存するポイント情報を表示する第１携帯端末表示手段と、前記交換可能表示手段で表示される商品やサービス等の中から所望する商品やサービスを選択しポイントとの交換を指定する指定情報を送信する指定情報送信手段と、を具備することを特徴とする２次元コードを利用したポイント管理システムを提供する。
【０００７】
請求項２記載の発明は、前記通信ネットワークに、前記２次元コードを提供する提供者が有する提供者サーバが接続され、前記管理サーバは、前記提供者サーバに対して、前記提供者サーバからの要求を受信する提供者要求受信手段と、前記提供者サーバからの要求に応じて前記ポイント情報保存手段に於いて保存される情報を処理する提供者要求処理手段とを有することを特徴とする２次元コードを利用したポイント管理システムを提供する。
【０００８】
請求項３記載の発明は、前記携帯端末は、前記デコード手段が抽出するポイント情報に含まれるポイントを変更するポイント変更手段を有することを特徴とする請求項１記載の２次元コードを利用したポイント管理システムを提供する。
【０００９】
請求項４記載の発明は、前記ポイント変更手段が変更したポイントを表示する第２携帯端末表示手段を有していることを特徴とする請求項３記載の２次元コードを利用したポイント管理システムを提供する。
【００１０】
請求項５記載の発明は、前記管理サーバは、前記携帯端末が有する前記ポイント変更手段を起動又は停止させることのできる動作信号を送信する動作信号送信手段を有していることを特徴とする請求項３記載の２次元コードを利用したポイント管理システムを提供する。
【００１１】
請求項６記載の発明は、前記携帯端末ポイント保存手段は、前記ポイント保存手段に保存されるポイント情報の項目が２項目となる際に、前記管理サーバから送信されて該携帯端末で保存されることを特徴とする請求項１記載の２次元コードを利用したポイント管理システムを提供する。
【００１２】
請求項７記載の発明は、前記２次元コードが保存する情報は、該２次元コードを提供する提供者を識別することを可能にする識別番号と、該２次元コードが付与されている商品やサービスを識別する商品番号と、前記正誤判定手段に於いて使用される認証番号と、該商品やサービスに対するポイント情報を有することを特徴とする請求項１乃至６いずれかに記載の２次元コードを利用したポイント管理システムを提供する。
【００１３】
請求項８記載の発明は、前記携帯端末がカメラ付き携帯電話器であることを特徴とする請求項１乃至７いずれかに記載の２次元コードを利用したポイント管理システムを提供する。
【００１４】
請求項９記載の発明は、商品やサービスに対して付与されるポイント情報が格納されている２次元コードと、該２次元コードに格納されるポイント情報を送信する携帯端末と、該携帯端末から送信されるポイント情報を受信し管理する管理サーバと、前記２次元コードを提供する提供者が有する提供者サーバと、前記携帯端末と該管理サーバと該提供者サーバを接続する通信ネットワークから構成される商品やサービス等に付与されるポイント情報を管理するポイント管理システムにおける管理サーバであって、前記管理サーバは、前記携帯端末に対して、前記携帯端末から送信される２次元コードからデコードされたポイント情報を受信する２次元コード情報受信手段と、前記２次元コード情報受信手段に於いて受信されたポイント情報を所定の規則に従って処理を行うポイント処理手段と、前記ポイント処理手段に於いて処理されたポイント情報を各項目毎に保存するポイント保存手段と、前記ポイント保存手段にポイントが保存された際に、ポイント情報を送信した前記携帯端末へ該ポイント保存手段に保存されるポイント情報を送信する保存ポイント送信手段と、前記ポイント保存手段に保存されるポイント情報に従ってポイント交換を行うことが可能な商品やサービス等を表示する交換可能表示手段と、前記携帯端末の使用者が該携帯端末から送信する前記交換可能表示手段に於ける商品やサービス等の中から所望する商品やサービスを選択しポイントとの交換を指定する指定情報を受信する指定情報受信手段と、前記指定情報受信手段に於いて受信された指定情報に従って前記ポイント情報保存手段に保存されるポイント情報を処理する指定処理手段を有する一方で、前記提供者サーバに対して、前記提供者サーバからの要求を受信する提供者要求受信手段と、前記提供者サーバからの要求に応じて前記ポイント情報保存手段に於いて保存される情報を処理する提供者要求処理手段と、を具備することを特徴とする２次元コードを利用したポイント管理システムの管理サーバを提供する。
【００１５】
請求項１０記載の発明は、商品やサービスに対して付与されるポイント情報が格納されている２次元コードを利用するポイント管理システムで利用される携帯端末に具備されるプログラムであって、取り込んだ２次元コードをデコードし、ポイント情報を抽出する手段と、前記抽出されたポイント情報を、ポイント情報を管理する管理サーバへ送信する手段と、前記管理サーバで管理されるとともに前記携帯端末へ送信されるポイント情報を受信する手段と、前記受信したポイント情報を、前記携帯端末に設けられる記憶手段に、該ポイント情報が属する各項目毎にポイント情報を格納させる手段と、前記格納されるポイント情報を表示する手段と、前記管理サーバで表示される商品やサービス等の中から所望する商品やサービスを選択し、ポイントとの交換を指定する指定情報を前記管理サーバへ送信する手段、として前記携帯端末を機能させるための２次元コードを利用したポイント管理システムの携帯端末に具備されるプログラムを提供する。
これらの発明を提供することによって、上記課題を悉く解決する。
【発明の効果】
【００１６】
請求項１記載の発明は、２次元コードに商品やサービス等のポイントを格納させることによって、商品購入者は日常よく使用する携帯端末を使用して容易に商品やサービス等のポイントを貯蓄することができると共に多種多様なポイントサービスを利用することができるポイント管理システムを提供することができる。
また、携帯端末の使用者は、自らの携帯端末に、項目毎に各ポイント情報が格納されているので、ポイント情報を確認するために管理サーバに接続する必要がなく、常に、自らの貯蓄するポイントを確認することができる。
【００１７】
請求項２記載の発明は、提供者サーバを２次元コード提供者は容易に２次元コードが付与された商品やサービス等の販売状況等の情報を容易に管理することができると共に販売促進の方法として利用することができるポイント管理システムを提供する。
また、本発明を利用することによって、２次元コード提供者は、独自のポイント交換のための商品やサービスを準備する必要がなく、他の提供者の商品やサービスを利用することができる。
【００１８】
請求項３記載の発明は、携帯端末がポイントを変更するポイント変更手段を有しているので、携帯端末からポイント情報を管理サーバに送信する際に、ポイントを変更して送信することができる。
【００１９】
請求項４記載の発明は、ポイント情報を管理サーバに送信する前にポイントの変更を携帯端末に表示することができるので、携帯端末の使用者は、変更後のポイントを確認した後に管理サーバへ送信することができる。
【００２０】
請求項５記載の発明は、携帯端末のポイント変更手段の動作を制御することができるので、管理サーバを運営する管理者によって携帯端末から送信されるポイントを変更することができる。
【００２１】
請求項６記載の発明は、携帯端末ポイント保存手段が、ポイント保存手段で保存されるポイント情報の項目が２項目になった際に送信されるように設定されているので、携帯端末の使用者は、２次元コード提供者毎にポイントを携帯端末に保存することができ、効果的にポイント情報を保存することができる。
【００２２】
請求項７記載の発明は、２次元コードが識別番号、商品番号、認証番号及びポイント情報を保存することによって、商品を管理することが容易になると共に、情報を検索したり、選出したりすることを容易に行うことができるポイント管理システムを提供することができる。
【００２３】
請求項８記載の発明は、本発明を利用する使用者が、カメラ付き携帯電話器を使用することによって、特殊な装置を準備する必要がないポイント管理システムを提供することができる。
【００２４】
請求項９記載の発明は、２次元コードに商品やサービス等のポイントを格納させることによって、商品購入者は日常よく使用する携帯端末を使用して容易に商品やサービス等のポイントを貯蓄することができると共に多種多様なポイントサービスを利用することができ、また、２次元コード提供者は容易に２次元コードが付与された商品やサービス等の販売状況等の情報を容易に管理することができると共に販売促進の方法として利用することができるポイント管理システムの管理サーバを提供する。
また、管理者や提供者は、ポイント収集に応じた携帯端末の使用者に、個別のアンケートや個人宛のメッセージを送信することができるので、利用頻度に応じたサービスを提供することができる。
【００２５】
請求項１０記載の発明は、商品やサービス等のポイント情報が格納された２次元コードを利用することができるとともに、容易に商品やサービス等のポイント情報を２次元コード提供者毎に貯蓄することができる携帯端末に具備されるプログラムを提供することができる。
【発明を実施するための最良の形態】
【００２６】
本発明の実施形態を、図面を参照しつつ説明する。
本発明に係るポイント管理システム（１）は、２次元コード（２）と、携帯端末（３）と、管理サーバ（４）と、提供者サーバ（５）と、通信ネットワーク（６）から構成される。
図１は、本発明に係る概略構成図を示し、図２は、本発明に係るシステム図を示す。
尚、本明細書中に書かれた「ポイント情報」という文言は、商品やサービス等に付与されるポイント（実際のポイント）やポイントを付与するための情報、又はポイントを付与するに当って、特定の期間内なら２倍のポイントを付与したり、ある商品のポイントを既に取得済みの場合は１．５倍のポイントに換算したり、特別な懸賞に参加することができたりする所定の条件を満たすことで特別のポイントが付与される情報等を含む。
本明細書中に書かれた「要求」という文言は、管理サーバ（２）に於いて保存された情報のデータを検索、選別、閲覧するような情報を操作することを指し示す。
【００２７】
２次元コード（２）は、商品やサービスに対して付与されるポイントを保存する手段である。
ポイントは、２次元コード（２）が付与された商品又はサービス等に付加されるポイントであり、提供者によって任意に決定される。
２次元コード（２）が保存するポイント情報以外の情報は、特に限定されないが、２次元コード（２）を提供する提供者を識別することを可能にする識別番号と、２次元コード（２）が付与されている商品又はサービス等を識別する商品番号と、後述する適応判定手段（４ａ）に於いて利用される適応番号と、後述する正誤判定手段（４ｂ）に於いて使用される認証番号の情報を有している。
識別番号は、２次元コード（２）がデコードされた後、管理サーバ（４）が２次元コード（２）を付与された提供者を識別することができる番号や文字列であれば構わない。
商品番号は、２次元コード（２）がデコードされた後、管理サーバ（４）が２次元コード（２）を付与された商品又はサービス等を識別することができる番号や文字列であれば構わない。
適応番号は、適応判定手段（４ａ）に於いてポイント管理システム（１）で使用の可否を判別することのできる番号や文字列であれば構わない。
認証番号は、正誤判定手段（４ｂ）に於いて再度のアクセスを禁止することができる番号や文字列であれば構わない。
尚、適応番号や認証番号は、商品に対して、唯一の番号や文字列を付加させることによって利用する方法でも構わない。
この２次元コード（２）として使用される物は、特に限定されないが、一般的に普及しているＱＲコードを使用することが好ましい。
【００２８】
この２次元コード（２）が商品やサービスに付与される方法は、特に限定されないが、２次元コード（２）の提供者が製造する商品の包装に２次元コード（２）の印刷等を行ったり、サービス提供時に領収書又はレシート等に２次元コード（２）を印刷したりして使用者に提供すればよい。
尚、飲食店等でこのポイント管理システム（１）を利用する際には、顧客が料理等のサービスを受ける際に、各伝票に２次元コード（２）を提供することで、顧客はポイント管理システム（１）を、時間を無駄に使うことなく利用でき、又、他人に譲渡される心配もない。
【００２９】
図３は、携帯端末の機能を示すブロック線図である。
この携帯端末（３）は、管理サーバ（４）と情報を送受信することができる装置であり、デコード手段（３１）と、ポイント変更手段（３２）と、携帯端末送信手段（３３）と、携帯端末受信手段（３４）と、携帯端末ポイント保存手段（３５）、第１携帯端末表示手段（３６）及び第２携帯端末表示手段（３７）を有している。
デコード手段（３１）は、２次元コード（２）を読み込んでデコードし、２次元コード（２）内に格納されるポイント情報を抽出する。
このデコード手段（３１）は、カメラ付き携帯電話器に具備される２次元コード読取装置が採用される。
【００３０】
ポイント変更手段（３２）は、デコード手段（３１）によって抽出されたポイント情報に含まれているポイントを変更することができる。このポイント変更手段（３２）が行う変更は、デコード手段（３１）によって、抽出されたポイント情報に含まれるポイントを基に所定の数値操作を行う。例えば、デコード手段（３１）によって抽出されたポイント情報のポイント（ｎ）が「１０」であり、所定の数値操作がポイントを２に倍する（ｎ×２）という数値操作であれば、「１０×２」が演算され、ポイント変更手段（３２）によって処理されたポイントは「２０」ということになる。
このポイント変更手段（３２）によって行われる所定の数値操作は、上記する以外にも、ポイントに所定ポイントを加算する等の四則演算が適用される。
尚、このポイント変更手段（３２）の動作は、後述する管理サーバ（４）からの動作信号に追従して、起動及び停止が行われることになる。また、ポイント変更手段（３２）が行う数値操作は、予め行われる数値操作が決められていても良いし、管理サーバ（４）から送信される動作信号にこの数値操作を付加させておいても構わない。数値操作を動作信号に付加させることによって、管理者又は提供者がこのポイント変更手段（３２）の動作を適宜設定することができる。
【００３１】
携帯端末送信手段（３３）は、デコード手段（３１）によって抽出されたポイント情報を管理サーバへ送信する。このとき、ポイント変更手段（３２）に於いてポイントが変更されている場合には、変更されたポイントを有するポイント情報が管理サーバ（４）へ送信されることになる。
携帯端末受信手段（３４）は、後述する管理サーバ（４）が有する保存ポイント送信手段から送信されるポイント情報を受信する。
この携帯端末（３）は、これらの携帯端末送信手段（３３）及び携帯端末受信手段（３４）を利用して管理サーバ（４）とポイント情報の送受信を行うが、これら携帯端末送信手段（３３）及び携帯端末受信手段（３４）は、無線端末が電子情報（ポイント情報）を管理サーバ（４）と送受信することのできる機能で代行することができる。
【００３２】
この携帯端末受信手段（３４）によって、受信されるポイント情報は、携帯端末ポイント保存手段（３５）にポイント情報に含まれる項目毎に保存される。この携帯端末ポイント保存手段（３５）は、携帯端末（３）内部又はフラッシュメモリ等の外部に設けられる記憶手段である。
この携帯端末ポイント保存手段（３５）は、ポイント情報に含まれる項目によって、ポイント情報を、グループ化して保存していることが好ましい。グループ化の具体例としては、先ず、ポイント情報を提供者によって分類しグループ化し、次いで、ポイント情報の商品及びサービス毎に分類してグループ化して保存することが考えられる。
このようにグループ化して分類されることによって、後述する第１携帯端末表示手段（３６）によってポイントを表示する際に、階層毎にポイント情報を表示させることができ、効率良く更に効果的に表示することができるようになるからである。
【００３３】
第１携帯端末表示手段（３６）は、携帯端末ポイント保存手段（３５）に保存されるポイント情報を表示する。
この第１携帯端末表示手段（３６）が有する表示方法は、特に限定されるものではないが、上述する如く、ポイント情報がグループ化されて階層型を形成するように携帯端末ポイント保存手段（３５）に保存されているので、この階層毎に表示させることが好ましい。
この階層型の表示方法は、特に限定されないが、携帯端末ポイント保存手段（３５）に保存されるポイントを提供する提供者を先ず表示し、この表示された提供者を選択することによって、この提供者によって提供されるポイントを表示するようにする方法を採用することができる。
この第１携帯端末表示手段（３６）の表示方法は、ポイントが保存される毎に、保存されるポイントをデジタル式の数字で表示する表示方法や、保存されるポイントに応じてスタンプマークが増加する表示方法や、ポイントの増加に応じて花が徐々に開花していく表示方法等を採用することができる。
【００３４】
また、ポイントに有効期間が設定されている際には、ポイントが有する有効期間の終了が近づいていることを携帯端末（３）の使用者に通知することが好ましい。
この通知は、文字によって、ポイントの有効期間の終了時が近づいてきていることを表示しても構わないし、携帯端末（３）の表示画面の色を変化させることによって表示してもよい。
【００３５】
第２携帯端末表示手段（３７）は、ポイント変更手段（３２）によってポイントが変更された際に、携帯端末（３）の表示画面上に変更されたポイントを表示する。
このように第２携帯端末表示手段（３７）が更新されたポイントを表示することによって、携帯端末（３）の使用者がポイントの変更を認知することができるので、ポイントを収集する意欲を増大させることができる。
【００３６】
この携帯端末（３）は、管理サーバ（４）へ、管理サーバ（４）に保存される現在のポイントの蓄積情報を知るための問い合せやポイント交換に必要なポイント情報、ポイント管理システム（１）に参加している参加企業の情報等の通知を促す要求を送信することができる。
この要求は、管理サーバ（４）へ、上記した要求をリストアップし要求毎にアクセスを可能にする方法でもよいし、管理サーバ（４）へ要求に対する返送を促すＪＡＶＡ（登録商標）アプレット等の命令コマンドを送信する方法でもよい。
【００３７】
携帯端末ポイント保存手段（３５）の保存されるポイントは、他の携帯端末（３）に転送しても構わない。
他の携帯端末（３）へポイントを転送する方法としては、携帯端末（３）の使用者が自らのホームページ（webサイト）で提供する方法や、携帯端末（３）によって保存されるポイントを２次元コード（２）に変換する方法や、携帯端末（３）に具備される赤外線通信手段（図示せず）によって、直接、他の携帯端末（３）へ転送する方法を採用することができる。
尚、携帯端末（３）から他の携帯端末（３）へポイントを転送した際には、ポイントを送信する携帯端末（３）及びポイントを受信する携帯端末（３）が、管理サーバ（４）へこの転送の旨を送信し、管理サーバ（４）に保存されるポイントとポイントの整合性を失わないようにしておく。
【００３８】
本発明で使用される携帯端末（３）は、デコード手段（３１）と、ポイント変更手段（３２）と、携帯端末送信手段（３３）と、携帯端末受信手段（３４）と、携帯端末ポイント保存手段（３５）と、第１携帯端末表示手段（３６）と第２携帯端末表示手段（３７）を有しているが、管理サーバ（４）へ送受信を行うことのできる携帯端末であれば特に限定されるものではない。
このような場合、管理サーバ（４）に、デコード手段（３１）と、ポイント変更手段（３２）と、携帯端末ポイント保存手段（３５）と、第１携帯端末表示手段（３６）と第２携帯端末表示手段（３７）等の上記する機能（手段）を、ポイントサービスを利用するためのプログラムとして管理サーバ（４）で保存しておき、このプログラムをダウンロードすることによって、携帯端末へ具備させることにより、本発明に使用することができるように設定すれば構わない。
【００３９】
また、このプログラムに携帯端末で表示させる画像を格納しておき、このポイント管理システムを利用する際や、管理サーバ（４）からの情報を受信した際に画像を表示する機能を付加させてもよい。
この保存される画像は、携帯端末（３）の使用者が利用する利用状況に応じて、管理サーバ（４）から新たな画像が送信されて更新されることが好ましい。
このように利用状況に応じて画像が更新されることによって、使用者は利用頻度に応じた個別のサービスを受けることになる。
また、ポイント変更手段（３２）を、使用者の利用頻度に応じて更新することによって、使用者に対して個別のサービスを提供することもできる。
【００４０】
この携帯端末（３）は、上記した構成を有しているか若しくは、管理サーバ（４）へ接続（アクセス）することができれば、特に限定されないが、カメラ付き携帯電話器であることが好ましい。
カメラ付き携帯電話器を利用することで、特別な装置を必要とすることなく容易に利用することができるからである。
また、携帯端末（３）は、カメラ付き携帯電話器に限定されず、ＰＤＡ（Personal Digital Assistant）のような携帯可能なデータを送受信可能な携帯端末（３）でもよい。
この場合、２次元コード（２）を読み込むことのできる機能（例えば、カメラ機能やスキャナ機能）を有していれば全て採用することができる。
【００４１】
管理サーバ（４）は、携帯電話（３）及び後述する提供者サーバ（５）との情報の送受信を行うことができる装置である。
図４は、本発明に係る管理サーバと携帯端末に関するブロック線図を示す。
管理サーバ（４）は、携帯端末（４）に対して、２次元コード情報受信手段（４Ａ）と、ポイント処理手段（４Ｂ）と、ポイント保存手段（４Ｃ）と、保存ポイント送信手段（４Ｄ）と、携帯端末要求受信手段（４Ｅ）と、携帯端末要求処理手段（４Ｆ）と、公開手段（４Ｇ）と、交換可能表示手段（４Ｈ）と、指定情報受信手段（４Ｉ）と、指定処理手段（４Ｊ）と、指定受理送信手段（４Ｋ）を有している。
【００４２】
２次元コード情報受信手段（４Ａ）は、携帯端末（３）から送信される２次元コード（２）からデコードされて抽出されたポイント情報を受信する手段である。
この２次元コード情報受信手段（４Ａ）は、適応判定手段（４ａ）及び正誤判定手段（４ｂ）を具備することが好ましい。
適応判定手段（４ａ）は、２次元コード情報受信手段（４Ａ）に於いて受信した２次元コード（２）の情報が本発明のポイント管理システム（１）に於いて使用可否を判定する手段である。
この適応判定手段（４ａ）の２次元コード（２）の情報を受信し使用の可否を判定する方法は、特に限定されないが、２次元コード（２）に上記した適応番号を設けることによって、この適用番号を識別することでこのポイント管理システム（１）での使用可否を判定すればよい。
尚、判定した結果、適応不可と判定された２次元コード（２）の情報を送信した携帯端末（３）へ２次元コードの情報がこのポイント管理システム（１）に適応不可である旨を返送するように設定してもよい。
この適応判定手段（４ａ）を設けることによって、このポイント管理システム（１）でのみ使用することのできる２次元コード（２）であるかないかを判別することが可能となる。
【００４３】
正誤判定手段（４ｂ）は、管理サーバ（４）が受信した２次元コード（２）の情報を再度受信した際に、再度受信した情報を無効にする手段である。
この正誤判定手段（４ｂ）によって、２次元コード（２）から抽出されるポイント情報を携帯端末（３）から送信する際に、一度利用した２次元コード（２）のポイント情報が、再度利用されることを防止することができる。
この正誤判定手段（４ｂ）の２次元コード（２）を判定する方法は、特に限定されないが、後述する２次元コード（２）に格納される情報に２次元コード（２）毎に認証番号を付与することが好ましい。
２次元コード（２）毎に認証番号が付与されることによって、管理サーバ（４）に一度２次元コード（２）の情報が送信されると、この２次元コード（２）の認証番号を管理サーバ（４）に保存させておき、再度同じ２次元コード（２）が送信された際に判定することができるからである。
再度２次元コード（２）が送信された際には、直ちに管理サーバ（４）から一度送信された２次元コード（２）を送信した旨を携帯端末（３）に返信する。
上記した正誤判定手段（４ｂ）を有することにより、２次元コード（２）が再度不正使用されることがない安全性が確保されるシステムとすることができる。
【００４４】
ポイント処理手段（４Ｂ）は、２次元コード情報受信手段（４Ａ）に於いて受信された２次元コード（２）に保存された情報を所定の規則に従って処理を行う手段である。
このポイント処理手段（４Ｂ）が行う所定の規則は、先ず、情報の送信元である携帯端末（３）を特定（識別）し、次いで、送信された２次元コード（２）からデコードされたポイント等の情報を計算し処理する規則である。
所定の規則は、２次元コード（２）に保存されるポイント情報に従って行われる規則であり、例えば、ポイントが２０ポイント保存される情報であれば、ポイントを２０ポイント所定の場所に保存し、又特定期間中にポイントを保存するとポイントが２倍となる情報が２次元コード（２）に保存されていれば、この期間内に管理サーバ（４）にポイントを送信すると２倍のポイントが保存されるように保存される。
また、ポイント情報に特別に行われる懸賞に参加する資格が付与する情報が保存されていれば、この携帯端末（３）の使用者へこの懸賞への資格を有することを通知すると共にこの懸賞への資格を有する旨が保存される。
このポイント処理手段（４Ｂ）に於いて処理されるポイントは、提供者や商品毎に細分化されて各項目毎にポイントが保存される。例えば、図５で示す如く、Ａ社のお菓子のポイントならＡ社のお菓子のポイントを保存する場所が設けられ、この場所で（ポイント保存手段（４Ｃ）内にアドレスを設け）保存され、Ｂ社のお茶のポイントならＢ社のお茶のポイントを保存する場所が設けられ、この場所で保存される。
【００４５】
ポイント処理手段（４Ｂ）は、判定送信手段（４ｃ）を具備させても構わない。
判定送信手段（４ｃ）は、ポイント処理手段（４Ｂ）に於いて処理された情報を判定し、所定条件を満たす情報を送信した携帯端末（３）へ特定情報を送信する手段である。
この判定送信手段（４ｃ）に於ける判定は、携帯端末（３）から送信される２次元コードからデコードされた情報に於いて、予め所定条件を設定しておき、この所定条件を満たす送信を行った携帯端末（３）を選出し、特定の情報を送信する機能を有している。
この予め設定される所定条件は、特に限定されず、管理サーバ（２）の管理者又は後述する提供者サーバ（５）を管理する２次元コード提供者が自由に設定すれば構わない。
設定される所定条件は、特に限定されず、例えばある商品を購入した２５歳以上の男性というように設定すればよい。
この所定条件を満たす携帯端末（３）へ送信する特定情報の内容は、特に限定されず、管理サーバ（４）の管理者又は提供者サーバ（５）の管理者が任意に決定すればよい。
携帯端末（３）へ送信される情報としては、例えば、所定条件を満たす携帯端末（３）へ、新商品等の広告や商品に関するアンケートを送信することが考えられる。
【００４６】
ポイント保存手段（４Ｃ）は、ポイント処理手段（４Ｂ）に於いて処理されたポイントを保存する手段である。
このポイント保存手段（４Ｃ）が行うポイントを保存する方法は、ポイント処理手段（４Ｂ）に於いて特定された携帯端末（３）毎に、更には、ポイント処理手段（４Ｂ）に於いて処理された２次元コード（２）に格納されているポイントを提供者や商品やサービス等毎の各項目にポイントを保存する手段である。
ポイント保存手段（４Ｃ）に保存されるポイントが提供者や商品毎の各項目に保存されることによって、携帯端末（３）の使用者は、各項目のポイント情報を詳細に確認することができるようになるからである。
【００４７】
保存ポイント送信手段（４Ｄ）は、ポイント保存手段（４Ｃ）にポイント情報が保存された際に、このポイント情報を送信した携帯端末（３）へ、保存されるポイント情報を返送する。
この保存ポイント送信手段（４Ｄ）によって、ポイント保存手段（４Ｃ）に保存されるポイント情報は、全て携帯端末（３）へ送信されることになり、携帯端末（３）は管理サーバ（４）で保存される最新のポイント情報を受取ることができる。
尚、この保存ポイント送信手段（４Ｄ）は携帯端末（３）にポイント情報を返信することになるが、ポイント情報以外の情報を付加して返信させることもできる。
返信する情報に付加させる情報は、この管理システム（１）の使用者が適宜設定すれば構わないが、ポイント保存手段（４Ｃ）に保存される商品やサービス等に関する情報や広告や、携帯端末（３）の使用者にとって効果的なポイント蓄積に関する情報等が考えられる。
【００４８】
携帯端末要求受信手段（４Ｅ）は、携帯端末（３）から送信される要求を受信する手段である。
携帯端末（３）から送信される要求は、上記する如く、携帯端末（３）の使用者がこの要求を行う時点での管理サーバ（４）に保存されるポイントの蓄積情報を知るための問い合せやポイント交換に必要なポイント情報、ポイント管理システム（１）に参加している参加企業の情報等の通知を促す電子情報である。
この要求は、管理サーバ（４）のホームページ上に上記した要求をリストアップし、要求毎にアクセスする方法を採用している場合は、アクセスされた要求に対する返信を適宜行うように設定すればよく、管理サーバ（４）にＪＡＶＡ（登録商標）アプレット等の命令コマンドを送信する方法を採用している場合は、この命令コマンドを受信した管理サーバ（４）がこの命令コマンドに応じて返信を適宜行うように設定されればよい。
【００４９】
携帯端末要求処理手段（４Ｆ）は、携帯端末要求受信手段（４Ｅ）に於いて受信された携帯端末（３）からの要求に応じて、現在の携帯端末使用者の管理サーバ（４）に保存されるポイントの蓄積情報やポイント交換に必要なポイント情報、ポイント管理システム（１）に参加している参加企業の情報等を携帯端末（３）へと送信する手段である。
携帯端末（３）から現時点に於けるポイントの蓄積情報に関する問い合わせ等の送信があった際に、この携帯端末使用者のポイントに関する蓄積情報等の情報を携帯端末（３）へ通知する方法は、特に限定されないが、携帯端末（３）からポイントの蓄積情報等の情報を掲示するホームページにアクセスし、ホームページ上で公開する方法や、携帯端末（３）にポイントの蓄積情報をＥ・メール等で携帯端末（３）へ送信する方法で構わない。
ホームページ上で公開する方法を利用する際には、個人情報等の漏洩を防止するために、ホームページに認証コード等を設けることによって、携帯端末（３）の使用者のみが自らのポイントの蓄積情報を公開するホームページにアクセスできるように設けられることが好ましい。
ポイント管理システム（１）に参加している企業をホームページ上で表示する際には、表示された企業が行っている期間限定で行われるポイントサービス等の特別のポイントサービスに関する情報を合わせて閲覧できるように設けておくことが好ましい。
企業が行う特別のポイントサービスを閲覧できることによって、この企業が行うポイントサービスを容易に確認することができるからである。
【００５０】
公開手段（４Ｇ）は、２次元コード（２）提供者がポイント交換によって交換することのできる商品やサービス等を、ポイント管理システム（１）の使用者（携帯端末（３）の使用者）に公開する手段である。
この公開手段（４Ｇ）が有する商品やサービスを閲覧させる方法は、このポイント管理システム（１）の使用者が商品やサービス等を閲覧することができれば特に限定されないが、携帯端末（３）からアクセス可能なホームページを設けて、このホームページに公開し閲覧できるようにする方法が好ましい。
上記したようなホームページを設けることによって、携帯端末（３）使用者は携帯端末（３）から容易にホームページにアクセスできるからである。
公開手段（４Ｇ）に於けるこのホームページは、ポイント管理システム（１）使用者しか閲覧することができないように認証コードを設けても構わない。
この公開手段（４Ｇ）に於いて公開される商品やサービスの表示には、変換するためのポイントを表示させることが好ましい。
このポイントを表示することによって、携帯端末（３）使用者は、変換する際の必要なポイントを容易に知ることができるからである。
尚、この公開手段（４Ｇ）で公開される情報は、商品やサービスに必要なポイントを表示するより他に、任意の企業が行うポイントが２倍になる等のポイントサービスを表示させても構わない。
【００５１】
交換可能表示手段（４Ｈ）は、ポイント保存手段（４Ｃ）に保存されるポイント情報に従って、ポイント交換を行うことが可能な商品やサービス等を表示する。
この交換可能表示手段（４Ｈ）が行うポイント交換を行う商品やサービス等を表示する方法は、ポイント保存手段（４Ｃ）に保存されているポイントにアクセスした際に、保存されたポイントからリンクして、ポイント保存手段（４Ｃ）にポイント交換することのできる商品やサービス等を表示する画面を表示させる方法が好ましい。
ポイント交換のできる商品やサービスを表示する画面を設けることによって、本発明使用者は、現在保存しているポイントによってポイント交換のできる商品やサービスを知ることができるからである（図６参照）。
尚、この交換可能表示手段（４Ｈ）が表示する使用者が交換可能な商品やサービス等は、後述する提供品受信手段（４Ｌ）が受信した商品やサービスの情報の中から使用者が現時点でポイントと交換可能な商品やサービス等を適宜選択し表示する。
【００５２】
指定情報受信手段（４Ｉ）は、携帯端末（３）の使用者が、携帯端末（３）から送信される交換可能表示手段（４Ｈ）に於ける商品やサービス等の中から所望する商品やサービスを選択し指定する指定情報を受信する手段である。
この指定情報受信手段（４Ｉ）が受信する指定情報は、携帯端末（３）の使用者が交換可能表示手段（４Ｈ）に於けるホームページ等で表示されるポイントと交換可能な商品やサービスを選択し、ポイントと交換する旨を通知する情報である。
この指定情報を通知する方法は、管理サーバ（４）に通知する方法であれば特に限定されないが、交換可能表示手段（４Ｈ）に於いてホームページ上に商品やサービスを選択すること（図６（ｂ）では、所望する商品やサービス等にリンク先を設けて管理サーバ（４）へ送信する携帯画面の一例を示す）で自動的にポイントと変換する方法が好ましい。
このホームページを利用した方法を用いることによって、携帯端末（３）の使用者は、煩雑な手順を必要とせず、使用者の所望する商品やサービスを選択することができる。
【００５３】
指定処理手段（４Ｊ）は、指定情報受信手段（４Ｉ）に於いて、携帯端末（３）の使用者が所望する商品やサービスを選択し指定情報を受信した後に、この指定情報に従ってポイント保存手段（４Ｃ）に保存されるポイントを処理する手段である。
この指定処理手段（４Ｊ）が行う処理は、ポイント保存手段（４Ｃ）に於いて保存される各項目別のポイントを指定情報によって指定した商品又はサービスと変換する処理である。
例えば、Ａ社のお菓子のポイントを利用して甲社のサービス又は商品と交換を行う場合、この指定処理手段（４Ｊ）によって、Ａ社のお菓子のポイントが甲社の提供するサービス又は商品を変更換算することができる。つまり、乙社に所望する商品が提供されている際には、他社のポイント（Ａ社やＣ社のポイント）を利用して変更することができる（図６参照）。
尚、指定処理手段（４Ｊ）に於いて、使用者の所望する商品やサービスへ変換されたポイント分だけポイント保存手段（４Ｃ）に保存されるポイントが消費される。
これにより、このポイントサービスに参加する提供者（上記するＡ社等）は、自社の独自のポイント交換するための商品やサービスを準備する必要がなくなり、他社が提供するポイント交換のための商品やサービスを利用することができる。
尚、このポイントによって、交換することのできる商品やサービス等の中に、携帯端末（３）で表示する画像や、ポイント変更手段（３２）を更新するプログラムを具備させても構わない。このようなプログラムとポイントを交換することによって、画像やポイント交換手段（３２）を更新することができる。
【００５４】
指定受理送信手段（４Ｋ）は、指定処理手段（４Ｊ）に於いて、携帯端末（３）の使用者が所望する商品又はサービスへポイント変換が終了した旨を送信する手段である。
この指定受理送信手段（４Ｋ）が有する送信方法は、特に限定されないが、指定情報を送信した携帯端末（３）へＥ・メールでポイント変換が終了した旨を送信すればよい。
【００５５】
管理サーバ（４）は、携帯端末（３）が具備するポイント変更手段（３２）の起動及び停止を制御することのできる動作信号を送信することが好ましい。
この動作信号によって、携帯端末（３）のポイント変更手段（３２）の起動及び停止を制御することができ、携帯端末（３）からのポイントを変更することができるとともに、利用者の利用状況に応じて通常のポイントよりもポイントを増加させて送信させることができる。
このように携帯端末（３）から送信されるポイントを管理サーバ（３）側で変更させてポイントを送信させることによって、携帯端末（３）の使用者に対して個別のポイント蓄積サービスを提供することができる。
尚、この管理サーバ（４）から送信される動作信号は、携帯端末（３）の使用者が受信したことを認識するように、携帯端末（３）の表示手段において表示することが好ましく、提供者からの要求によって、この管理サーバ（４）から携帯端末（３）への動作信号を送信することができるように設けても構わない。
これらのことによって、管理サーバ（４）を管理する管理者及び２次元コード（２）を提供する提供者から、それぞれ携帯端末（３）を使用する使用者に個別のポイントサービスを提供することができる。
【００５６】
管理サーバ（４）から送信される動作信号は、ポイント変更手段（３２）が起動するための信号と、停止するための信号とを設定し、これらの信号を送信することによって、ポイント変更手段（３２）の動作を制御する。
期間限定によるポイントサービスを行うとすれば、サービス開始時にポイント変更手段（３２）を起動させる信号を送信し、サービス終了時にポイント変更手段（３２）を停止させる信号を送信することで、制御することができる。
【００５７】
管理サーバ（４）は、提供者サーバ（５）に対して、提供品受信手段（４Ｌ）と、提供者要求受信手段（４Ｍ）と、提供者要求処理手段（４Ｎ）とポイント変更送信手段（４Ｏ）を具備している。
図７は、本発明に係る管理サーバと提供者サーバに関するブロック線図を示す。
提供品受信手段（４Ｌ）は、２次元コード（２）を提供する提供者がポイント変換に於いて変換する商品やサービス（公開手段（４Ｇ）や交換可能表示手段（４Ｈ）に於いて表示する商品やサービス）の情報を管理サーバ（４）に送信した際に受信する手段である。
この提供品受信手段（４Ｌ）に於いて受信された商品やサービスの情報は、管理サーバ（４）によって、提供者を判別し各項目毎（例えば、提供者毎、或いは商品やサービスの分類毎）に公開手段（４Ｇ）上（又は交換可能表示手段（４Ｈ）に於いて適宜選択されて表示される）に於いて公開されるように処理される。
この処理は、公開手段（４Ｇ）や交換可能表示手段（４Ｈ）に於いて上述したように商品やサービスの表示と共に変換するために必要なポイントが表示される（図６参照）。
【００５８】
提供者要求受信手段（４Ｍ）は、提供者サーバ（５）から送信される要求を受信する手段である。
この提供者要求受信手段（４Ｍ）に於いて受信される要求は、２次元コード（２）が付与された商品やサービスに関する情報を管理サーバ（４）のポイント保存手段（４Ｃ）から選別し、提供者サーバ（５）へ送信を促す命令である。
商品やサービスに関する情報は、特に限定されず、提供者サーバ（５）の提供者が、管理サーバ（４）に保存されている提供者が所望する情報である。例えば、商品に関する購買層や購買量等の商品に関する情報である。
この提供者が所望する情報を引き出すことができる要求の作成方法は、特に限定されず、管理サーバ（４）と提供者サーバ（５）とをIP−VPN等の専用回線で接続し、管理サーバ（４）に保存された情報に直接アクセスできるパスワード等を送信し、情報を閲覧できる方法や、提供者が所望する情報を取得するために必要な事項を記入して管理サーバ（４）へ送信する方法が好ましい。
上記した方法を利用することで、情報の漏洩を防止することができるからである。
【００５９】
提供者要求処理手段（４Ｎ）は、提供者サーバ（５）からの要求に応じてポイント情報保存手段（４Ｃ）に於いて保存される情報を処理する手段である。
この提供者要求処理手段（４Ｎ）によって提供者が所望する情報を処理し、提供者サーバ（５）に送信することで、提供者は商品やサービス等の情報を収集することができる。
【００６０】
ポイント変更送信手段（４Ｏ）は、指定処理手段（４Ｊ）に於いて携帯端末（３）の使用者がポイントを変換した際に、指定受理送信手段（４Ｋ）によって携帯端末（３）に送信されると同時に変換される商品又はサービスを提供する提供者サーバ（５）へ携帯端末（３）の使用者が所望する商品又はサービスへポイント変換が終了した旨を送信する手段である。
このポイント変更送信手段（４Ｏ）を具備することによって、提供者側も自社の商品又はサービスがポイント変換されたことを確認することができる。
【００６１】
通信ネットワーク（６）は、携帯端末（３）と、管理サーバ（４）と提供者サーバ（５）を送受信可能に接続する通信手段である。
この通信ネットワーク（６）の構成は、特に限定されず、インターネット等の通信方法や専用回線を使用する通信方法、衛星通信を利用する方法でも構わない。
以上が本発明に係るポイント管理システム（１）の構成である。
【００６２】
本発明に係るポイント管理システム（１）の作用について図面を参照しつつ説明する。
先ず、提供者がポイント管理システム（１）を利用する方法について説明する。
図８は、提供者がポイント管理システムを利用する方法を示すフローチャートである。
提供者は、商品やサービスに２次元コード（２）を付与する（Ｓ１）。
この際、商品やサービスに付与する２次元コード（２）には、識別番号と、商品番号と、認証番号と、ポイントを付与しておく。
尚、この２次元コード（２）の保存する情報として、指定期間内にこの情報を管理サーバ（４）に送信した際に、通常よりもポイントが加算される指定期間を設けるようにしても構わない。
次に、提供者はポイント変換して提供する商品やサービスの情報を提供者サーバ（５）から管理サーバ（４）へ送信する（Ｓ２）。
管理サーバ（４）は、提供品受信手段（４Ｌ）に於いて、商品やサービスの情報を受信し（Ｓ３）、公開手段（４Ｇ）によって商品やサービスの情報をホームページ上に掲載し公開する（Ｓ４）。
この際、既にポイント保存手段（４Ｃ）にポイントを保存している使用者には、交換可能表示手段（４Ｈ）に於いてこのポイントと交換可能な商品やサービス等を表示することができる。
【００６３】
次に、携帯端末（カメラ付き電話器）（３）の使用者がポイント管理システム（１）を利用する方法を説明する。
図９は、携帯端末使用者がポイント管理システムを利用する方法を示すフローチャートである。
本発明に係るポイント管理システム（１）を利用するにあたって使用者は、管理サーバ（４）へ空のＥ・メールを送信しておくことが好ましい。
空のＥ・メールを管理サーバ（４）へ送信することによって、Ｅ・メールを送信した携帯端末（３）（又はカメラ付き携帯電話器、以下電話器（３）と称する）へ、この電話器（３）を特定できると共にこの電話器（３）専用の管理サーバ（４）上のポイントを保存するアドレスを作成し返送することができるからである。
尚、この際、管理サーバ（４）は電話器（３）専用の管理サーバ（４）上にアドレスを設けた際に、この電話器（３）の使用者の個人情報（氏名、年齢、職業、住所、趣味、家族構成等の個人データ）を登録することが好ましい。
使用者は予め空のＥ・メールを送信する（Ｓ１１）。
管理サーバ（４）は、このメールを受信し、管理サーバ（４）のポイント保存手段（４Ｃ）に空のＥ・メールを送信した電話器（３）専用のポイントを保存するアドレスを作成する（Ｓ１２）。
電話器（３）の使用者は、２次元コード（２）の具備された商品又はサービスを受け、２次元コード（２）を入手する（Ｓ１３）。
この際、電話器（３）に２次元コード（２）をデコードする機能が無ければ、管理サーバ（４）にアクセスし、管理サーバ（４）で保存されている２次元コード（２）をデコードするためのアプリケーションをダウンロードすることで、２次元コード（２）をデコードすることができるようになる（Ｓ１４）。
【００６４】
カメラ付き携帯電話器（携帯端末）（３）を使用して２次元コード（２）でデコードし、管理サーバ（４）へ送信する（Ｓ１５）。
電話器（３）のポイント変更が起動する場合は、後述の他の実施例において説明する。
管理サーバ（４）は、２次元コード情報受信手段（４Ａ）によって、電話器（３）から送信された２次元コード（２）の情報を受信する（Ｓ１６）。
受信された２次元コード（２）の情報は、先ず、適応判定手段（４ａ）に於いて、このポイント管理システム（１）で使用可否が適応番号を利用して検討される（Ｓ１７）。この際、このポイント管理システム（１）に於いて使用不可であれば、使用不可の旨を送信した電話器（３）へ返送する（Ｓ１８）。
適応判定手段（４ａ）に於いて使用可能と判定された情報は、正誤判定手段（４ｂ）に於いて送信された情報が正しく使用されているか（再度使用されていないか）認証番号を利用して判定される（Ｓ１９）。この際、再度送信された情報であれば、再度送信の旨を送信した電話器（３）へ返送する（Ｓ２０）。
【００６５】
正誤判定手段（４ｂ）によって正しく使用されていると判定された情報は、ポイント処理手段（４Ｂ）によって、所定の規則に従い、各項目毎に細分化して処理される（Ｓ２１）。
ポイント処理手段（４Ｂ）が具備する判定送信手段（４ｃ）に於いて、所定条件を満たす情報を送信した携帯端末（３）へ特定情報を送信する（Ｓ２２）。
電話器（３）は、特定情報を受信する（Ｓ２３）。
ポイント処理手段（４Ｂ）に於いて処理されたポイントは、ポイント保存手段（４Ｃ）に於いて保存される（Ｓ２４）。
電話器（３）使用者が２次元コード（２）を管理サーバ（４）に送信しポイントを貯蓄する毎に上記した工程が繰り返されてポイントが各項目別に蓄積される（図４参照）。
【００６６】
電話器（３）使用者が管理サーバ（４）へ自分のポイントの蓄積情報を問い合わせる方法を説明する。
図１０は、ポイントの蓄積情報を問い合わせる際の管理サーバと携帯端末（電話器）の作動を示すフローチャートである。
電話器（３）使用者は、管理サーバ（４）へ現時点に於ける自らが有するポイントの蓄積情報を問い合せるための要求を送信する（Ｓ３１）。
管理サーバ（４）は、携帯端末要求受信手段（４Ｅ）によって、電話器（３）からの要求を受信する（Ｓ３２）。
受信した要求に応じてポイント保存手段（４Ｃ）に於いて保存されているポイントの蓄積情報を電話器（３）の要求に応じて処理する（Ｓ３３）。
管理サーバ（４）は、要求に応じて処理された情報を要求を送信した電話器（３）へ携帯端末要求処理手段（４Ｆ）に於いて送信する（Ｓ３４）。
この際、ポイント蓄積情報は各項目別に表示されている（図５参照）。
電話器（３）は、ポイントの蓄積情報を受信する（Ｓ３５）。
【００６７】
ポイントを商品又はサービスに変換する方法を図面を参照しつつ説明する。
図１１は、ポイントを商品又はサービスに変換する方法を示すフローチャートである。
電話器（３）使用者は、公開手段（４Ｇ）によるホームページにアクセスし、商品やポイントを閲覧する（Ｓ４１）。
この際、本ポイント管理システム（１）の使用者は、この公開手段（４Ｇ）によって、所望する商品やサービスを閲覧することができる（Ｓ４２）。
使用者は、ポイント保存手段（４Ｃ）のポイント交換に利用するポイントにアクセスする（Ｓ４３）。
交換するポイントにアクセスすることで、交換可能表示手段（４Ｈ）によって交換可能な商品やサービス等を電話器（３）の画面上に表示させることができる（Ｓ４４）。
電話器（３）使用者は、交換可能表示手段（４Ｈ）に表示されるポイント交換によって所望する商品又はサービスを選択する（Ｓ４５）。
電話器（３）使用者は、所望する商品又はサービスを選択し、その旨である指定情報を管理サーバ（４）へ送信する（Ｓ４６）。
管理サーバ（４）は、指定情報受信手段（４Ｉ）に於いて電話器（３）からの指定情報を受信する（Ｓ４７）。
指定情報を受信した管理サーバ（４）は、指定情報を指定処理手段（４Ｊ）に於いて処理する（Ｓ４８）。
尚、他社のポイントを変換する際には、一定のレートを設けて、ポイントの変更を行っても構わない。
【００６８】
指定処理手段（４Ｊ）で処理されたポイントの残高は、再度ポイント保存手段（４Ｃ）に於いて各項目別のポイント毎に保存される（Ｓ４９）。
指定処理手段（４Ｊ）で処理された後に、指定受理送信手段（４Ｋ）に於いて、携帯端末（３）の使用者が所望する商品又はサービスへポイント変換が終了した旨を電話器（３）へ送信する（Ｓ５０）。
電話器（３）の使用者は、ポイント交換が終了した旨の通知を受信する（Ｓ５１）。
この指定受理送信手段（４Ｋ）が行われると同時に、ポイント変更送信手段（４Ｏ）に於いて、提供者サーバ（５）へ電話器（３）の使用者が所望する商品又はサービスへポイント変換が終了した旨を送信する（Ｓ５２）。
提供者サーバ（５）の提供者は顧客がポイント交換した旨の通知を受信する（Ｓ５３）。
以上がポイントを商品又はサービスに変更する方法である。
【００６９】
次いで、提供者が商品やサービスに関する顧客データを収集する方法を説明する。図１２は、提供者が顧客情報を収集する方法を示すフローチャートである。
提供者は管理サーバ（４）に提供社サーバ（５）から顧客情報に関する要求を送信する（Ｓ６１）。
管理サーバ（４）は、提供者サーバ（５）から送信される要求を提供者要求受信手段（４Ｍ）に於いて、先ず受信する（Ｓ６２）。
管理サーバ（４）は、要求を受信して、この要求に応じるようにポイント情報保存手段（４Ｃ）に保存されている情報を適宜選択し（Ｓ６３）、提供者サーバ（５）へ返送する（Ｓ６４）。
提供者サーバ（５）は、管理サーバ（４）からの情報を受信する（Ｓ６５）。
上記する方法を行うことによって、提供者は所望する顧客データを収集することができる。
【００７０】
電話器（携帯端末）（３）が行うポイント変更の動作について説明する。
図１３は、ポイント変更手段の動作を示すフローチャートである。
管理サーバ（４）が、ポイント変更手段（３２）を動作するための動作信号を電話器（３）へ送信する（Ｓ７１）。
動作信号を受信した電話器（３）は、この動作信号を受信したことを表示手段において表示し、使用者は、ポイント変更期間（ポイント増加期間）であることを認識する。
この時、電話器（３）に具備されるポイント変更手段（３２）が起動している状態となる（Ｓ７２）。
電話器（３）の使用者が、２次元コード（２）をデコードする（Ｓ７３）。
デコードされたポイント情報は、ポイント変更手段（３２）へ送られて、ポイントが変更される（Ｓ７４）。
このとき、第２携帯端末表示手段（３７）によって、ポイント変更手段（３２）においてポイントが変更されたことが電話器（３）の画面に表示される（Ｓ７５）。
電話器（３）の使用者は、２次元コード（２）を撮影した後に、この第２携帯端末表示手段（３７）によってポイントが変更されたことを認識することができる。
ポイントが変更されたポイント情報は、管理サーバ（４）へ送信される（Ｓ７６）。
管理サーバ（４）へ送られたポイント情報の処理は、上記と同様であるので省略する。
尚、ポイント変更手段（３２）の動作を停止させる際には、管理サーバ（４）から停止を促す動作信号が送信されることになる。
【図面の簡単な説明】
【００７１】
【図１】本発明に係る概略構成図を示す。
【図２】本発明に係るシステム図を示す。
【図３】本発明に係る携帯端末の機能を示すブロック線図である。
【図４】本発明に係る管理サーバと携帯端末に関するブロック線図を示す。
【図５】ポイント保存手段に於けるポイントを保存する状態を示す一実施例である。
【図６】本発明に係る携帯電話に表示される画面の一実施例を示す。
【図７】本発明に係る管理サーバと提供者サーバに関するブロック線図を示す。
【図８】提供者がポイント管理システムを利用する方法を示すフローチャートである。
【図９】携帯端末使用者がポイント管理システムを利用する方法を示すフローチャートである。
【図１０】ポイントの蓄積情報を問い合わせる際の管理サーバと携帯端末（電話器）の作動を示すフローチャートである。
【図１１】ポイントを商品又はサービスに変換する方法を示すフローチャートである。
【図１２】提供者が顧客情報を収集する方法を示すフローチャートである。
【図１３】ポイント変更手段の動作を示すフローチャートである。
【符号の説明】
【００７２】
１・・・・・・・ポイント管理システム
２・・・・・・・２次元コード
３・・・・・・・携帯端末（カメラ付き電話器）
３１・・・・・・デコード手段
３２・・・・・・ポイント変更手段
３３・・・・・・携帯端末送信手段
３４・・・・・・携帯端末受信手段
３５・・・・・・携帯端末ポイント保存手段
３６・・・・・・第１携帯端末表示手段
３７・・・・・・第２携帯端末表示手段
４・・・・・・・管理サーバ
４Ａ・・・・・・２次元コード情報受信手段
４ａ・・・・・・適応判定手段
４Ｂ・・・・・・ポイント処理手段
４ｂ・・・・・・正誤判定手段
４Ｃ・・・・・・ポイント保存手段
４ｃ・・・・・・送信判定手段
４Ｄ・・・・・・保存ポイント送信手段
４Ｅ・・・・・・携帯端末要求受信手段
４Ｆ・・・・・・ポイント状況送信手段
４Ｇ・・・・・・公開手段
４Ｈ・・・・・・交換可能表示手段
４Ｉ・・・・・・指定情報受信手段
４Ｊ・・・・・・指定処理手段
４Ｋ・・・・・・指定受理送信手段
４Ｌ・・・・・・提供品受信手段
４Ｍ・・・・・・提供者要求受信手段
４Ｎ・・・・・・提供者要求処理手段
４Ｏ・・・・・・ポイント変更送信手段
５・・・・・・・提供者サーバ
６・・・・・・・通信ネットワーク
【図１】
2005251003.tif 000003
【図２】
2005251003.tif 000004
【図３】
2005251003.tif 000005
【図４】
2005251003.tif 000006
【図５】
2005251003.tif 000007
【図６】
2005251003.tif 000008
【図７】
2005251003.tif 000009
【図８】
2005251003.tif 000010
【図９】
2005251003.tif 000011
【図１０】
2005251003.tif 000012
【図１１】
2005251003.tif 000013
【図１２】
2005251003.tif 000014
【図１３】
2005251003.tif 000015